(57)【要約】【課題】  羽根車の全体に機能因子を供給できるようにした浴室換気乾燥暖房機を提供する。【解決手段】  浴室換気乾燥暖房機１Ａは、回転駆動される羽根車２５Ａを有し、循環換気吸込口２０Ａから浴室内の空気を吸い込んで吹き出す循環換気ファン２Ａと、循環換気ファンケース２７Ａの下面側、かつ、循環換気吸込口２０Ａの外側で、循環換気吸込口２０Ａの形状に沿った円周上であって、循環換気吸込口２０Ａから吸い込まれる空気の流れの起端部２００Ａ１に設置され、羽根車２５Ａに作用させるイオンを発生させるイオン発生器１０を備える。【選択図】    図１
2018173254.tif 000002
【特許請求の範囲】
【請求項１】
回転駆動される羽根車と、
前記羽根車で生成された空気の流れを整流するケース部と、
前記ケース部に設けた吸込口から前記ケース部の内部に吸い込まれる空気の流れの起端部に設置され、前記羽根車に作用させる機能因子を発生させる機能因子発生部と
を備えたことを特徴とする送風装置。
【請求項２】
前記機能因子発生部は、
前記吸込口の外側で、かつ、前記ケース部の前記羽根車と反対側の面に、少なくとも機能因子の放出部を露出させて設置される
ことを特徴とする請求項１に記載の送風装置。
【請求項３】
前記ケース部は、前記羽根車の円周方向に沿って空気の流れを整流する第１の風路形成部と、前記羽根車の接線方向に沿って空気の流れを整流する第２の風路形成部を有し、
前記機能因子発生部は、前記第１の風路形成部と前記第２の風路形成部との間に形成される舌部の位置に合わせて設置される
ことを特徴とする請求項２に記載の送風装置。
【請求項４】
前記ケース部は、前記羽根車の円周方向に沿って空気の流れを整流する第１の風路形成部と、前記羽根車の接線方向に沿って空気の流れを整流する第２の風路形成部を有し、
前記機能因子発生部は、機能因子の放出部を前記羽根車の外周に対向させて、前記第１の風路形成部と前記第２の風路形成部との間に形成される舌部に設置される
ことを特徴とする請求項１に記載の送風装置。
【請求項５】
前記ケース部に設けた吹出口の上流側で、かつ、前記機能因子発生部の下流側に、空気を清浄する空気清浄因子を発生させる空気清浄因子発生部を備えた
ことを特徴とする請求項１〜請求項４の何れか１項に記載の送風装置。
【発明の詳細な説明】
【技術分野】
【０００１】
本発明は、浴室等に設置され、室温に応じた空気あるいは温風を室内に吹き出す送風装置に関する。
【背景技術】
【０００２】
従来から、浴室等の天井に設置され、温風あるいは室温に応じた空気を室内に吹き出して、室内の暖房、室内にある被乾燥物の乾燥等の機能を実現した送風装置が提案されている。このような送風装置は、室内の空気を屋外に排気する換気の機能を持つものも多く、浴室換気乾燥暖房機と称されている。
【０００３】
浴室換気乾燥暖房機は、多翼の羽根車を有したファンを備え、羽根車が回転駆動されることで、所望の空気の流れを発生させている。この羽根車が回転駆動されること等を要因として発生する静電気で、空気中の埃等が羽根車に吸引され付着し、堆積する場合がある。羽根車に埃等が堆積すると、風量の低下、騒音の増大、堆積物の落下等、正常な動作の阻害要因となる。
【０００４】
そこで、従来、羽根車に帯電防止剤を含んだ材料を使用する技術、羽根車を帯電防止剤でコーティングする技術が提案されている（例えば、特許文献１、２参照）。
【先行技術文献】
【特許文献】
【０００５】
【特許文献１】特開２０１６−８９１４７号公報
【特許文献２】特許第５６１９４０８号公報
【発明の概要】
【発明が解決しようとする課題】
【０００６】
帯電防止剤を含んだ樹脂の使用は、衝撃強度等の樹脂特性の低下や効果の劣化につながり、また、帯電防止剤のコーティングは、帯電防止剤による層の剥離、劣化により、帯電防止の効果の低下につながる。そこで、除電効果が得られるイオン等の機能因子の発生器を風路中に備え、羽根車に帯電防止剤を含んだ材料を使用すること、羽根車を帯電防止剤でコーティングすることなく、除電効果を得る技術が提案されている。しかし、羽根車の全体に機能因子を供給できなければ、十分な除電効果を得ることはできない。
【０００７】
本発明は、このような課題を解決するためになされたもので、羽根車の全体に機能因子を供給できるようにした送風装置を提供することを目的とする。
【課題を解決するための手段】
【０００８】
上述した課題を解決するため、本発明は、回転駆動される羽根車と、羽根車で生成された空気の流れを整流するケース部と、ケース部に設けた吸込口からケース部の内部に吸い込まれる空気の流れの起端部に設置され、羽根車に作用させる機能因子を発生させる機能因子発生部とを備えた送風装置である。
【０００９】
本発明では、羽根車の回転で吸込口から吸い込まれる空気の流れの起端部から、機能因子が放出されることで、羽根車の全体に機能因子を作用させることができる。
【発明の効果】
【００１０】
本発明では、羽根車の全体に機能因子を作用させることができるので、羽根車の正常な動作を妨げる阻害要因を除去することができる。
【図面の簡単な説明】
【００１１】
【図１】本実施の形態の浴室換気乾燥暖房機の一例を示す構成図である。
【図２】本実施の形態の浴室換気乾燥暖房機の一例を示す構成図である。
【図３】本実施の形態の浴室換気乾燥暖房機の一例を示す構成図である。
【図４】本実施の形態の浴室換気乾燥暖房機の設置例を示す構成図である。
【図５】本実施の形態の浴室換気乾燥暖房機における風路切替ダンパの動作を示す説明図である。
【図６】本実施の形態の浴室換気乾燥暖房機における風路切替ダンパの動作を示す説明図である。
【図７】本実施の形態の浴室換気乾燥暖房機における風路切替ダンパの動作を示す説明図である。
【図８】本実施の形態の浴室換気乾燥暖房機における浴室内の空気の流れを示す説明図である。
【図９】イオン発生器の設置場所の他の例を示す浴室換気乾燥暖房機の構成図である。
【図１０】イオン発生器の設置場所の他の例を示す浴室換気乾燥暖房機の構成図である。
【図１１】イオン発生器の設置場所の他の例を示す浴室換気乾燥暖房機の構成図である。
【発明を実施するための形態】
【００１２】
以下、図面を参照して、本発明の送風装置としての浴室換気乾燥暖房機の実施の形態について説明する。
【００１３】
＜本実施の形態の浴室換気乾燥暖房機の構成例＞
図１〜図３は、本実施の形態の浴室換気乾燥暖房機の一例を示す構成図で、図１は、浴室換気乾燥暖房機の内部構成を示す側面図、図２は、下面側から見た平面図である。また、図３はフロントパネルを取り付けた状態の平面図である。更に、図４は、本実施の形態の浴室換気乾燥暖房機の設置例を示す構成図である。
【００１４】
本実施の形態の浴室換気乾燥暖房機１Ａの概要を説明すると、浴室換気乾燥暖房機１Ａは、循環換気ファン２Ａを有した本体部３Ａが、フロントパネル４Ａを露出させた形態で、設置場所である浴室１００の天井に取り付けられる。浴室換気乾燥暖房機１Ａは、フロントパネル４Ａが取り付けられる側が下側となる。
【００１５】
浴室換気乾燥暖房機１Ａは、空気を吸い込んで吹き出す循環換気ファン２Ａと、循環換気ファン２Ａで空気が吸い込まれる循環換気吸込口２０Ａと、ヒータ５が駆動されることで温風、ヒータ５が非駆動で浴室１００内の室温に応じた空気が吹き出される第１の吹出口２１Ａと、浴室１００内の空気を攪拌する空気が吹き出される第２の吹出口２２Ａを備える。
【００１６】
また、浴室換気乾燥暖房機１Ａは、循環換気ファン２Ａで循環換気吸込口２０Ａから吸い込んだ空気を室外に排気する換気吹出口２３Ａを備える。更に、浴室換気乾燥暖房機１Ａは、第１の吹出口２１Ａ及び第２の吹出口２２Ａと、換気吹出口２３Ａとの間で風路を切り替える風路切替ダンパ６Ａを備える。
【００１７】
本実施の形態の浴室換気乾燥暖房機１Ａは、空気の流れを発生させる循環換気ファン２Ａにおいて、主に羽根車２５Ａに作用する機能因子を生成、放出する機能因子発生部を、循環換気吸込口２０Ａから吸い込まれる空気の流れの起端部に備え、機能因子の作用で、循環換気ファン２Ａに吸い込まれる空気中の埃等の成分が羽根車２５Ａに付着することを抑制する。
【００１８】
以下に、浴室換気乾燥暖房機１Ａの詳細について説明すると、循環換気ファン２Ａは遠心ファンで構成される送風手段の一例で、多翼の羽根車２５Ａと、羽根車２５Ａを駆動する循環換気ファンモータ２６Ａと、風路を形成する循環換気ファンケース２７Ａを備える。羽根車２５Ａは、循環換気ファンモータ２６Ａに駆動されて回転することで、羽根車２５Ａの内側から外周側へと遠心方向に吹き出される空気の流れを発生させる。
【００１９】
循環換気ファン２Ａは、循環換気ファンケース２７Ａの下面に、空気が吸い込まれる循環換気吸込口２０Ａを備える。循環換気吸込口２０Ａは、羽根車２５Ａの回転軸に沿った下方に、ベルマウスと称される円形の開口を設けて構成される。循環換気ファンケース２７Ａはケース部の一例で、羽根車２５Ａの外周に沿った略円形の部位で構成され、羽根車２５Ａの円周方向に沿って空気の流れを整流する第１の風路形成部２７Ａ１１と、羽根車２５Ａの接線方向に沿った部位で構成され、羽根車２５Ａの接線方向に沿って空気の流れを整流する第２の風路形成部２７Ａ１２を備える。そして、第１の風路形成部２７Ａ１１と第２の風路形成部２７Ａ１２との間に舌部２７Ａ１が形成される形状である。循環換気ファンケース２７Ａは、羽根車２５Ａの遠心方向に吹き出される空気を整流して、羽根車２５Ａの接線方向に沿って吹き出される空気の流れを発生させる。
【００２０】
循環換気ファン２Ａは、浴室換気乾燥暖房機１Ａが浴室１００の天井に設置された状態で、羽根車２５Ａの回転軸の向きが上下方向に沿った配置で構成される。
【００２１】
これにより、循環換気ファン２Ａは、羽根車２５Ａの回転軸に沿った下方の循環換気吸込口２０Ａから吸い込んだ空気を、羽根車２５Ａの接線方向に吹き出す吹出風路２８Ａが、循環換気ファンケース２７Ａにより形成される。
【００２２】
循環換気ファン２Ａは、循環換気ファンケース２７Ａの下面に、ヒータ５を駆動することで加熱された空気、あるいは、ヒータ５を非駆動とすることで浴室１００内の温度に応じた空気が吹き出される第１の吹出口２１Ａを備える。
【００２３】
また、循環換気ファン２Ａは、循環換気ファンケース２７Ａの下面に、浴室１００内を攪拌する空気が吹き出される第２の吹出口２２Ａを備える。更に、循環換気ファン２Ａは、循環換気ファンケース２７Ａの側面に、室外へ空気が吹き出される換気吹出口２３Ａを備える。
【００２４】
第１の吹出口２１Ａは、循環換気ファンケース２７Ａによる空気の吹出方向に沿った辺を短辺とした長方形の開口を、吹出風路２８Ａの下面に設けて構成される。第２の吹出口２２Ａは、循環換気ファンケース２７Ａによる空気の吹出方向に沿った辺を短辺とした長方形の開口を、吹出風路２８Ａの下面において、第１の吹出口２１Ａに対して循環換気吸込口２０Ａの反対側に設けて構成される。
【００２５】
循環換気ファンケース２７Ａで構成される吹出風路２８Ａは、第１の吹出口２１Ａ及び第２の吹出口２２Ａが設けられる部位で広げられ、換気吹出口２３Ａが設けられる部位で狭められる。第１の吹出口２１Ａと第２の吹出口２２Ａは、循環換気ファンケース２７Ａによる空気の吹出方向に沿った辺に対して交差する長辺が、本体部３Ａの幅方向の長さに合わせられる。
【００２６】
第１の吹出口２１Ａと第２の吹出口２２Ａは、循環換気ファンケース２７Ａの下面に設けられた風路形成枠体５０Ａで構成される。第１の吹出口２１Ａと第２の吹出口２２Ａは、風路形成枠体５０Ａの内側に設けられる仕切り部材５１Ａにより仕切られ、第１の吹出口２１Ａから吹き出される空気が通る循環空気吹出風路と、第２の吹出口２２Ａから吹き出される空気が通る攪拌空気吹出風路が形成される。
【００２７】
風路切替ダンパ６Ａは風路開閉手段の一例で、図示しないダンパモータの駆動力が伝達され、軸６０Ａを支点に回転して、第１の吹出口２１Ａ及び第２の吹出口２２Ａと、換気吹出口２３Ａとの開閉動作を行う。
【００２８】
風路切替ダンパ６Ａは、仕切り部材５１Ａで構成される第１の吹出口２１Ａと第２の吹出口２２Ａとの分岐部５２Ａより、空気の流れる方向に対して上流側に、分岐部５２Ａから所定の距離を開けて回転による開閉動作の軸６０Ａが設けられる。
【００２９】
風路切替ダンパ６Ａは、空気の流れる方向に対して軸６０Ａより上流側の部位が、軸６０Ａを支点とした回転動作で、第１の吹出口２１Ａと換気吹出口２３Ａとを開閉する方向へ変位する。また、風路切替ダンパ６Ａは、空気の流れる方向に対して軸６０Ａより下流側の部位が、軸６０Ａを支点とした回転動作で、第２の吹出口２２Ａを開閉する方向へ変位する。
【００３０】
これにより、風路切替ダンパ６Ａは、空気の流れる方向に対して軸６０Ａから上流側に延在する部位で、主に第１の吹出口２１Ａと換気吹出口２３Ａとの間で風路を切り替えると共に、換気吹出口２３Ａの開度を切り替える主風路切替部６１Ａが構成される。また、風路切替ダンパ６Ａは、空気の流れる方向に対して軸６０Ａから下流側に延在する部位で、主に第２の吹出口２２Ａを開閉すると共に、内側の面で、風路切替ダンパ６Ａの開度に応じて第１の吹出口２１Ａへの風路、第１の吹出口２１Ａ及び第２の吹出口２２Ａへの風路が形成され、外側の面で、換気吹出口２３Ａへの風路が形成される副風路切替部６２Ａが構成される。更に、風路切替ダンパ６Ａは、副風路切替部６２Ａの先端側に、軸６０Ａを支点とした回転動作の方向に沿って延在し、換気吹出口２３Ａに対して第２の吹出口２２Ａを塞ぐ逆流防止部６３Ａが設けられる。
【００３１】
浴室換気乾燥暖房機１Ａでは、風路切替ダンパ６Ａの位置を、第１の位置である図１に実線で示す循環位置とすると、空気の流れる方向に対して軸６０Ａより上流側の主風路切替部６１Ａは、風路切替ダンパ６Ａの一方の端部となる主風路切替部６１Ａの先端が、循環換気ファンケース２７Ａの上側の内面に接する。
【００３２】
また、空気の流れる方向に対して軸６０Ａより下流側の副風路切替部６２Ａは、風路切替ダンパ６Ａの他方の端部となる副風路切替部６２Ａの先端が、分岐部５２Ａと接する。更に、逆流防止部６３Ａは、換気吹出口２３Ａに対して第２の吹出口２２Ａを塞ぐ。これにより、第１の吹出口２１Ａが開き、第２の吹出口２２Ａと換気吹出口２３Ａが閉じられて、循環換気吸込口２０Ａから第１の吹出口２１Ａへ連通した循環風路が形成される。
【００３３】
浴室換気乾燥暖房機１Ａでは、風路切替ダンパ６Ａの位置を、循環位置から軸６０Ａを支点に回転させて、第２の位置である図１に破線で示す循環換気位置とすると、軸６０Ａより上流側の主風路切替部６１Ａが下方向へ移動し、風路切替ダンパ６Ａの一端が吹出風路２８Ａの中間付近に位置する。
【００３４】
また、軸６０Ａより下流側の副風路切替部６２Ａが、分岐部５２Ａから離れる上方向に移動する。これにより、第１の吹出口２１Ａ及び第２の吹出口２２Ａと、換気吹出口２３Ａの双方が開き、循環風路と、循環換気吸込口２０Ａから換気吹出口２３Ａへ連通した換気風路の双方が形成される。
【００３５】
浴室換気乾燥暖房機１Ａでは、風路切替ダンパ６Ａの位置を、循環換気位置から軸６０Ａを支点に回転させて、第３の位置である図１に一点鎖線で示す換気位置とすると、軸６０Ａより上流側の主風路切替部６１Ａが下方向へ移動し、風路切替ダンパ６Ａの一端が循環換気ファンケース２７Ａの下側の内面に接する。また、軸６０Ａより下流側の副風路切替部６２Ａが上方向へ移動し、風路切替ダンパ６Ａの他端が換気吹出口２３Ａの下側で循環換気ファンケース２７Ａの内面に接する。これにより、換気吹出口２３Ａが開き、第１の吹出口２１Ａ及び第２の吹出口２２Ａが閉じられて換気風路が形成される。
【００３６】
これにより、浴室換気乾燥暖房機１Ａでは、１つの循環換気ファン２Ａで、浴室１００内の空気を吸い込み、吸い込んだ空気を浴室１００内に吹き出す動作、吸い込んだ空気を室外に排気する動作、吸い込んだ空気の一部を浴室１００内に吹き出し、残部を室外に排気する動作が行われる。
【００３７】
また、浴室換気乾燥暖房機１Ａでは、１つの風路切替ダンパ６Ａで、第１の吹出口２１Ａ及び第２の吹出口２２Ａと、換気吹出口２３Ａの開閉動作が行われる。
【００３８】
ヒータ５は加熱手段の一例で、本例ではＰＴＣヒータで構成され、第１の吹出口２１Ａから吹き出された空気が通る循環空気吹出風路に設けられる。ヒータ５が駆動されて通電されると、ヒータ５が加熱されることで第１の吹出口２１Ａを通る空気が加熱され、第１の吹出口２１Ａから温風が吹き出される。
【００３９】
第１の吹出口２１Ａと第２の吹出口２２Ａは、仕切り部材５１Ａにより仕切られており、第２の吹出口２２Ａから吹き出される空気は、ヒータ５を通過しない。なお、本例では、加熱手段として電気により駆動されるヒータ５を例に説明したが、温水による熱交換器等のヒータでも良い。
【００４０】
本体部３Ａは、循環換気ファンケース２７Ａを構成する本体シャーシ３０Ａと、本体シャーシ３０Ａを覆う金属ケース３１Ａを備える。本体シャーシ３０Ａは樹脂材料で構成され、金属ケース３１Ａで覆われる循環換気ファンケース２７Ａと、本体部３Ａの下端の周縁から外側に突出するフランジ部３２Ａが、一体で構成される。
【００４１】
本体シャーシ３０Ａは、金属ケース３１Ａから露出した下面に下カバー３３Ａが取り付けられる。循環換気ファン２Ａは、循環換気吸込口２０Ａと、第１の吹出口２１Ａ及び第２の吹出口２２Ａが下カバー３３Ａに設けられ、下カバー３３Ａに風路形成枠体５０Ａが取り付けられる。
【００４２】
金属ケース３１Ａは、循環換気ファン２Ａの換気吹出口２３Ａに対向して開口が設けられ、換気吹出口２３Ａと連通した排気ダクトジョイント３４Ａが側面に取り付けられる。
【００４３】
浴室換気乾燥暖房機１Ａは、本体部３Ａの下面にフロントパネル４Ａが取り付けられる。フロントパネル４Ａは、循環換気ファン２Ａの循環換気吸込口２０Ａに対向した下面を開口して吸込口グリル４０Ａが形成される。
【００４４】
また、フロントパネル４Ａは、循環換気ファン２Ａの第１の吹出口２１Ａに対向した下面を開口して第１の吹出口グリル４１Ａが形成されると共に、第２の吹出口２２Ａに対向した下面を開口して第２の吹出口グリル４２Ａが形成される。
【００４５】
第１の吹出口グリル４１Ａは、本体部３Ａの一の辺に沿った方向である短手方向に沿った長さを長くした長方形の開口で構成される。また、第２の吹出口グリル４２Ａは、第１の吹出口グリル４１Ａと同様に、本体部３Ａの一の辺に沿った方向である短手方向に沿った長さを長くした長方形の開口で構成される。
【００４６】
第１の吹出口グリル４１Ａは、長手方向に沿って空気が吹き出されるように、整流板が設けられる。第２の吹出口グリル４２Ａは、第１の吹出口グリル４１Ａと並列する短手方向に沿って、第１の吹出口グリル４１Ａと反対側である本体部３Ａの外側に向けて空気が吹き出されるように、整流板４３Ａが設けられる。
【００４７】
浴室換気乾燥暖房機１Ａは、機能因子発生部としてイオン発生器１０を備える。イオン発生器１０は、機能因子としてイオンを生成、放出し、主に羽根車２５Ａの除電を行う。このため、イオンは、羽根車２５Ａの除電を行う除電因子として主に機能し、イオン発生器１０は、イオンを生成、放出する除電因子発生部として機能する。
【００４８】
イオン発生器１０は、正イオンと負イオンの両方あるいは少なくとも正イオンまたは負イオンのどちらか一方を発生する。正イオンと負イオンの発生の原理は、コロナ放電により空気中の酸素ないしは水分が電離によりエネルギーを受けてイオン化し、Ｈ+（Ｈ2Ｏ）m（ｍは任意の自然数）と、Ｏ2-（Ｈ2Ｏ）n（ｎは任意の自然数）が主体のイオンを放出するものである。
【００４９】
浴室換気乾燥暖房機１Ａで循環換気ファン２Ａの運転と連動させてイオン発生器１０で略同数の正イオンと負イオンを発生させることで、正に帯電した空気中の成分、及び、羽根車２５Ａが正に帯電した場合は羽根車２５Ａが、負イオンで除電される。また、イオン発生器１０から正イオンを発生させることで、負に帯電した空気中の成分、及び、羽根車２５Ａが負に帯電した場合は羽根車２５Ａが、正イオンで除電される。
【００５０】
イオン発生器１０は、コロナ放電を行う電極針と、この電極針を覆う図示しないカバーを有してイオンの放出部１０Ａが構成される。イオン発生器１０は、羽根車２５Ａの回転により発生する空気の流れで、イオン発生器１０から発生させたイオンを羽根車２５Ａに作用させることが可能な位置に設置される。
【００５１】
次に、イオン発生器１０の設置場所について説明する。イオン発生器１０は、循環換気吸込口２０Ａから吸い込まれる空気にイオンを供給することで、羽根車２５Ａにイオンを作用させる。
【００５２】
図１及び図２に示す実施の形態では、イオン発生器１０は、循環換気ファンケース２７Ａにおいて循環換気吸込口２０Ａが設けられた面、本例では循環換気ファンケース２７Ａの下面側、かつ、循環換気吸込口２０Ａの外側で、循環換気吸込口２０Ａの形状に沿った略円周上の所定の位置に設置される。
【００５３】
羽根車２５Ａが回転することで、循環換気吸込口２０Ａから吸い込まれる空気は、矢印Ｗ１に示すように、循環換気ファンケース２７Ａの下面に沿って流れる。これにより、循環換気ファンケース２７Ａの外部では、循環換気ファンケース２７Ａの下面側、かつ、循環換気吸込口２０Ａの外側で、循環換気吸込口２０Ａの形状に沿った略円周上の位置が、羽根車２５Ａに接する空気の流れの起端部２００Ａ１となる。
【００５４】
また、循環換気吸込口２０Ａから吸い込まれる空気は、循環換気ファンケース２７Ａの内部では、矢印Ｗ２に示すように、循環換気ファンケース２７Ａの内側面に沿って流れ、羽根車２５Ａの接線方向に吹き出される。これにより、循環換気ファンケース２７Ａの内部では、舌部２７Ａ１が、羽根車２５Ａに接する空気の流れの起端部２００Ａ２となる。
【００５５】
そこで、イオン発生器１０が、起端部２００Ａ１である循環換気ファンケース２７Ａの下面側、かつ、循環換気吸込口２０Ａの外側で、循環換気吸込口２０Ａの形状に沿った略円周上の所定の位置に設置される。より望ましくは、イオン発生器１０が、循環換気吸込口２０Ａの形状に沿った略円周上であって、起端部２００Ａ２である舌部２７Ａ１の下面側に設置される。
【００５６】
イオン発生器１０は、循環換気吸込口２０Ａから吸い込まれる空気が流れる経路にイオンの放出部１０ａが露出するように、放出部１０ａを含む全体が循環換気ファンケース２７Ａの下面側に露出する形態で設置される構成でも良い。また、イオン発生器１０は、放出部１０ａを循環換気ファンケース２７Ａの下面側に露出させ、他の部位を循環換気ファンケース２７Ａの内部に突出させる形態で設置される構成でも良い。
【００５７】
なお、イオン発生器１０から放出されるＨ+（Ｈ2Ｏ）m及びＯ2-（Ｈ2Ｏ）nは、浮遊菌の表面に付着し、化学反応して活性種であるＨ2Ｏ2または・ＯＨを生成する。Ｈ2Ｏ2または・ＯＨは、極めて強力な活性を示すため、これらにより、空気中の浮遊細菌を取り囲んで除去することができる。ここで、・ＯＨは活性種の１種であり、ラジカルのＯＨを示している。
【００５８】
これにより、空気中の浮遊細菌を除去して、カビの発生等を抑えることができる。尚、イオン発生器１０によるイオンの発生は、正イオンのみや負イオンのみでも良く、コロナ放電ではなく、他の方法でも良い。
【００５９】
また、浴室換気乾燥暖房機１Ａは、吹出口である第１の吹出口２１Ａ及び第２の吹出口２２Ａの上流側で、かつ、イオン発生器１０の下流側に、正イオンと負イオンの両方あるいは少なくとも正イオンまたは負イオンのどちらか一方を発生するイオン発生器１０Ｂを備えても良い。
【００６０】
イオン発生器１０Ｂは空気清浄因子発生部の一例で、空気を清浄する空気清浄因子としてイオンを発生させる。イオンであるＨ+（Ｈ2Ｏ）m及びＯ2-（Ｈ2Ｏ）nは、浮遊菌の表面に付着し、化学反応して活性種であるＨ2Ｏ2または・ＯＨを生成する。Ｈ2Ｏ2または・ＯＨは、極めて強力な活性を示すため、これらにより、空気中の浮遊細菌を取り囲んで除去することができる。ここで、・ＯＨは活性種の１種であり、ラジカルのＯＨを示している。
【００６１】
これにより、浴室換気乾燥暖房機１Ａで循環換気ファン２Ａの運転と連動させて略同数の正イオンと負イオンを発生させ、略同数の正イオンと負イオンを含む空気を送風することで、循環する空気に含まれる浮遊細菌と浴室の空気中の浮遊細菌の双方を除去して、カビの発生等を抑えることができる。
【００６２】
なお、イオン発生器１０Ｂによるイオンの発生は、正イオンのみや負イオンのみでも良く、コロナ放電ではなく、他の方法でも良い。更に、循環する空気に含まれる浮遊細菌と浴室の空気中の浮遊細菌の双方を除去する空気清浄因子として、イオンではなく、オゾン等、他の空気清浄因子であっても良い。また、空気清浄因子発生部は、銀イオンや、脱臭及び除菌を行う薬剤や、保湿効果を促す薬剤等を噴霧させる噴霧手段等を用いても良く、空気中の浮遊細菌や衣類等に付着した細菌の増殖を抑制するものや、細菌を除去するもの、また、保湿効果を持った機能因子を放出するようなもの等、空気に特定の機能を付与する空気処理手段であれば、如何なる形態のものであっても良い。
【００６３】
＜本実施の形態の浴室換気乾燥暖房機の設置例＞
次に、各図を参照して、本実施の形態の浴室換気乾燥暖房機１Ａの設置例について説明する。
【００６４】
浴室換気乾燥暖房機１Ａは、図４に示すように、浴室１００の天井パネル１０１に設置される。浴室１００の天井パネル１０１には、浴室換気乾燥暖房機１Ａの本体部３Ａが取り付けられる開口部が形成され、浴室換気乾燥暖房機１Ａは、例えば、フランジ部３２Ａが図示しないネジで天井裏に設けられた補強部材に固定される形態で、天井パネル１０１に取り付けられる。
【００６５】
そして、浴室換気乾燥暖房機１Ａは、本体部３Ａの下面にフロントパネル４Ａが取り付けられ、フロントパネル４Ａの吸込口グリル４０Ａと、第１の吹出口グリル４１Ａ及び第２の吹出口グリル４２Ａが、浴室１００内に面して配置される。
【００６６】
浴室１００の天井パネル１０１に設置された浴室換気乾燥暖房機１Ａは、本体部３Ａの排気ダクトジョイント３４Ａに排気ダクト１０２が取り付けられる。排気ダクト１０２は、浴室１００が設置される図示しない建物の外壁に取り付けられる屋外グリル１０２ａと接続され、浴室換気乾燥暖房機１Ａは、排気ダクト１０２を介して屋外とつながっている。
【００６７】
浴室１００は、浴槽１０３と洗い場１０４を備える。浴槽１０３は一般的に長方形であり、浴槽１０３と洗い場１０４は、浴槽１０３の短手方向に沿って並んでいる。
【００６８】
浴室１００は、浴槽１０３の上部に物干し部材であるランドリパイプ１０５を備える。ランドリパイプ１０５は、浴槽１０３の長手方向に沿って延び、浴室１００の対向する壁面１０６ａ，１０６ｂ間に取り付けられる。
【００６９】
なお、浴室１００に設置されるランドリパイプ１０５の本数は、１本または２本程度であり、本例では、１本のランドリパイプ１０５が配置された例を示す。また、物干し部材は、洗濯物等の被乾燥物が乾燥できるようになっていれば、パイプ状の部材に限らず、紐状であっても良く、他のものであっても良い。
【００７０】
浴室換気乾燥暖房機１Ａは、第１の吹出口グリル４１Ａ及び第２の吹出口グリル４２Ａの長手方向の向きが、ランドリパイプ１０５の長手方向に対して直交する向きで、浴槽１０３の上部に設置される。
【００７１】
これにより、浴室換気乾燥暖房機１Ａでは、第１の吹出口グリル４１Ａから吹き出される空気は、主にランドリパイプ１０５と直交する方向に広がる。これに対して、第２の吹出口グリル４２Ａから吹き出される空気は、第２の吹出口グリル４２Ａが設けられる側の浴室１００の壁面１０６ａに向けられる。
【００７２】
＜本実施の形態の浴室換気乾燥暖房機の動作例＞
図５〜図７は、本実施の形態の浴室換気乾燥暖房機における風路切替ダンパの動作を示す説明図、図８は、本実施の形態の浴室換気乾燥暖房機における浴室内の空気の流れを示す説明図で、次に、各図を参照して、本実施の形態の浴室換気乾燥暖房機１Ａの動作例について説明する。
【００７３】
浴室換気乾燥暖房機１Ａは、乾燥運転モードでは、風路切替ダンパ６Ａを図６に示す循環換気位置にし、循環換気ファンモータ２６Ａを駆動して羽根車２５Ａを回転させると共に、ヒータ５に通電する。
【００７４】
浴室換気乾燥暖房機１Ａでは、羽根車２５Ａが回転すると、フロントパネル４Ａの吸込口グリル４０Ａから、浴室１００内の空気が循環換気吸込口２０Ａに吸い込まれる。
【００７５】
乾燥運転モードでは、風路切替ダンパ６Ａが循環換気位置にあるので、吹出風路２８Ａでは、循環換気吸込口２０Ａから第１の吹出口２１Ａ及び第２の吹出口２２Ａへ連通した循環風路と、循環換気吸込口２０Ａから換気吹出口２３Ａへ連通した換気風路の双方が形成されている。
【００７６】
これにより、羽根車２５Ａが回転することで循環換気吸込口２０Ａから吸い込まれた浴室１００の空気ＲＡの一部は、第１の吹出口２１Ａ及び第２の吹出口２２Ａへと流れる。また、循環換気吸込口２０Ａから吸い込まれた浴室１００の空気の残部は、換気吹出口２３Ａへと流れ、排気ダクト１０２を通り屋外グリル１０２ａから排気ＥＡとして屋外へ排気される。
【００７７】
乾燥運転モードでは、第１の吹出口２１Ａに流れる空気は、ヒータ５によって加熱されることで、フロントパネル４Ａの第１の吹出口グリル４１Ａから温風ＨＡが吹き出される。第２の吹出口２２Ａに流れる空気は、ヒータ５を通らないので、フロントパネル４Ａの第２の吹出口グリル４２Ａから、室温に応じた空気Ａが吹き出される。
【００７８】
浴室換気乾燥暖房機１Ａでは、第１の吹出口グリル４１Ａから吹き出される空気は、ランドリパイプ１０５の長手方向及びランドリパイプ１０５と直交する方向に広がる。
【００７９】
但し、浴室換気乾燥暖房機１Ａは、第１の吹出口グリル４１Ａの長手方向がランドリパイプ１０５と直交する向きに配置されるので、第１の吹出口グリル４１Ａから吹き出される空気は、主にランドリパイプ１０５に直交する方向に広がる。
【００８０】
このため、第１の吹出口グリル４１Ａの直下近傍のランドリパイプ１０５に掛けられた衣類等の被乾燥物に対しては、幅方向の全体に温風が当てられる。これに対して、第１の吹出口グリル４１Ａの直下から離れた位置のランドリパイプ１０５に掛けられた被乾燥物に対しては、第１の吹出口グリル４１Ａから吹き出される温風が直接は当たりにくい。
【００８１】
浴室換気乾燥暖房機１Ａでは、第２の吹出口グリル４２Ａから吹き出される空気Ａは、整流板４３Ａにより、第１の吹出口グリル４１Ａに対して第２の吹出口グリル４２Ａが設けられる側の浴室１００の壁面１０６ａに向けられる。
【００８２】
これにより、図８（ａ）に示すように、乾燥モードで第２の吹出口グリル４２Ａから吹き出される空気Ａは、浴室１００の一方の壁面１０６ａに当てられ、矢印Ａ１に示すように壁面１０６ａに沿って下方に流れる。壁面１０６ａに沿って下方に流れる空気は、矢印Ａ２に示すように、浴室１００の下層付近を、主に他方の壁面１０６ｂに向かって流れる。
【００８３】
浴室換気乾燥暖房機１Ａでは、吸込口グリル４０Ａから吸い込まれる空気ＲＡによって、浴室１００内で空気を循環させる流れを生じさせているので、浴室１００の下層付近を他方の壁面１０６ｂに向かって流れる空気は、矢印Ａ３に示すように壁面１０６ｂに沿って上方に流れ、吸込口グリル４０Ａから吸い込まれる。
【００８４】
このように、浴室換気乾燥暖房機１Ａでは、第２の吹出口グリル４２Ａから吹き出される空気によって、浴室１００の一方の壁面１０６ａに沿って下方に向かい、浴室１００の下層付近を他方の壁面１０６ｂに向かい、他方の壁面１０６ｂに沿って上方に向かう空気の流れを発生させることができる。
【００８５】
乾燥運転モードで浴室換気乾燥暖房機１Ａの第１の吹出口グリル４１Ａから吹き出される空気は、ヒータ５で加熱された温風で、相対湿度が下げられているので、第２の吹出口グリル４２Ａから吹き出される空気に比べ軽い。
【００８６】
このため、第１の吹出口グリル４１Ａから吹き出される空気に比べ重い第２の吹出口グリル４２Ａから吹き出される空気は、浴室１００の下層まで流れ、浴室１００内の全体に、空気を攪拌する風の流れを生じさせることができる。
【００８７】
これにより、第１の吹出口グリル４１Ａから吹き出される温風が、直接は当たりにくい第１の吹出口グリル４１Ａの直下から離れた位置のランドリパイプ１０５に掛けられた被乾燥物付近にも、空気の流れを生じさせることができる。
【００８８】
浴室換気乾燥暖房機１Ａは、循環換気運転モードでは、風路切替ダンパ６Ａを図６に示す循環換気位置にし、ヒータ５を非駆動として、循環換気ファンモータ２６Ａを駆動して羽根車２５Ａを回転させる。ここで、上述した乾燥運転モードと循環換気運転モードでは、循環換気運転モードの方が、屋外へ排気される風量である換気風量が多くなるように、風路切替ダンパ６Ａの開度を換気吹出口２３Ａの開度が広くなる位置に変更しても良い。
【００８９】
浴室換気乾燥暖房機１Ａでは、羽根車２５Ａが回転することで、フロントパネル４Ａの吸込口グリル４０Ａから、浴室１００内の空気が循環換気吸込口２０Ａに吸い込まれる。
【００９０】
循環換気運転モードでは、風路切替ダンパ６Ａが循環換気位置にあるので、循環換気吸込口２０Ａから吸い込まれた浴室１００の空気の一部は、第１の吹出口２１Ａ及び第２の吹出口２２Ａへと流れる。また、循環換気吸込口２０Ａから吸い込まれた浴室１００の空気の残部は、換気吹出口２３Ａへと流れ、屋外へ排気される。
【００９１】
循環換気運転モードでは、第１の吹出口２１Ａに流れる空気は、ヒータ５が非駆動であるので、フロントパネル４Ａの第１の吹出口グリル４１Ａから、室温に応じた空気ＣＡが吹き出される。第２の吹出口２２Ａに流れる空気は、ヒータ５を通らないので、フロントパネル４Ａの第２の吹出口グリル４２Ａから、室温に応じた空気Ａが吹き出される。
【００９２】
浴室換気乾燥暖房機１Ａでは、図８（ｂ）に示すように、循環換気運転モードでも、第２の吹出口グリル４２Ａから吹き出される空気によって、浴室１００の一方の壁面１０６ａに沿って下方に向かい、浴室１００の下層付近を他方の壁面１０６ｂに向かい、他方の壁面１０６ｂに沿って上方に向かう空気の流れを発生させることができる。
【００９３】
これにより、循環換気運転モードでも、浴室１００内の全体に、空気を攪拌する風の流れを生じさせることができ、浴室１００内で、第１の吹出口グリル４１Ａから吹き出される空気が直接は当たりにくいような場所でも、空気の流れを生じさせることができる。
【００９４】
従って、浴室１００の各壁面、床面等の乾燥時間を短縮することができる。また、浴室１００内の空気の一部は屋外に排気されて換気が行われるので、湿気等を排出して、浴室１００の各壁面、床面等の乾燥を促進することができる。
【００９５】
浴室換気乾燥暖房機１Ａで実行される他の運転モードとしては、暖房運転モードでは、風路切替ダンパ６Ａを図５に示す循環位置にして、ヒータ５に通電すると共に、循環換気ファンモータ２６Ａを駆動して羽根車２５Ａを回転させる。
【００９６】
浴室換気乾燥暖房機１Ａでは、羽根車２５Ａが回転することで、フロントパネル４Ａの吸込口グリル４０Ａから、浴室１００内の空気が循環換気吸込口２０Ａに吸い込まれる。
【００９７】
暖房運転モードでは、風路切替ダンパ６Ａが循環位置にあるので、循環換気吸込口２０Ａから吸い込まれた浴室１００の空気の略全量が、第１の吹出口２１Ａへと流れる。暖房運転モードでは、第１の吹出口２１Ａに流れる空気は、ヒータ５によって加熱されることで、フロントパネル４Ａの第１の吹出口グリル４１Ａから温風が吹き出される。
【００９８】
暖房運転モードでは、風路切替ダンパ６Ａが循環位置にあるので、浴室１００内の空気は換気されない。これにより、暖房運転モードでは、第１の吹出口グリル４１Ａから温風を吹き出しながら、浴室１００内の空気が循環されることで、浴室１００内の温度を入浴に適した温度に上昇させることができる。
【００９９】
また、風路切替ダンパ６Ａが循環位置にあると、換気吹出口２３Ａに加えて第２の吹出口２２Ａが塞がれるので、ヒータ５を通らない空気が吹き出されない。これにより、入浴中に実行される暖房運転モードであっても、ヒータ５で暖められていない空気が吹き出されることがなく、入浴者が寒さを感じることが無い。
【０１００】
更に、風路切替ダンパ６Ａが循環位置にあると、換気吹出口２３Ａに対して第２の吹出口２２Ａが逆流防止部６３Ａで塞がれるので、外気が浴室１００内に逆流することを防ぐことができる。
【０１０１】
換気運転モードでは、風路切替ダンパ６Ａを図７に示す換気位置にし、ヒータ５を非駆動として、循環換気ファンモータ２６Ａを駆動して羽根車２５Ａを回転させる。
【０１０２】
浴室換気乾燥暖房機１Ａでは、羽根車２５Ａが回転することで、フロントパネル４Ａの吸込口グリル４０Ａから、浴室１００内の空気が循環換気吸込口２０Ａに吸い込まれる。
【０１０３】
換気運転モードでは、風路切替ダンパ６Ａが換気位置にあるので、第１の吹出口２１Ａと第２の吹出口２２Ａが塞がれ、循環換気吸込口２０Ａから吸い込まれた浴室１００の空気の略全量が換気吹出口２３Ａへと流れ、屋外へ排気される。従って、換気運転モードでは、浴室１００内の湯気や湿気を排出して結露等を抑制し、カビの発生を抑えることができる。
【０１０４】
上述した各運転モードにおいて、イオン発生器１０で正イオンと負イオンを生成、放出させる。イオン発生器１０が空気の流れの起端部２００Ａ１、２００Ａ２に相当する位置に設置されることで、イオン発生器１０で生成、放出された正イオンと負イオンは、循環換気吸込口２０Ａから吸い込まれる空気の流れで、羽根車２５Ａの全体に接する。
【０１０５】
これにより、羽根車２５Ａの全体に正イオンと負イオンを作用さえることができ、羽根車２５Ａが静電気で正に帯電した場合は、空気中の負イオンで羽根車２５Ａが除電される。また、正に帯電した空気中の成分が負イオンで除電される。羽根車２５Ａが負に帯電した場合は、空気中の正イオンで羽根車２５Ａが除電される。また、負に帯電した空気中の成分が正イオンで除電される。
【０１０６】
従って、所定の風量を得るという羽根車２５Ａの正常な動作を妨げる阻害要因となる空気中の埃等の成分が、羽根車２５Ａに静電気で吸引されて付着することを抑制することができる。また、イオン発生器１０が、循環換気ファンケース２７Ａの下面側、かつ、循環換気吸込口２０Ａの外側に設置されることで、循環換気吸込口２０Ａにイオン発生器１０が突出せず、イオン発生器１０が空気の流れを阻害しない。
【０１０７】
＜本実施の形態の浴室換気乾燥暖房機の変形例＞
図９〜図１１は、イオン発生器の設置場所の他の例を示す浴室換気乾燥暖房機の構成図である。図９に示す実施の形態では、イオン発生器１０は、空気の流れの起端部２００Ａ２である循環換気ファンケース２７Ａの舌部２７Ａ１において、羽根車２５Ａの外周と対向する内側面に設置される。
【０１０８】
イオン発生器１０は、循環換気吸込口２０Ａから循環換気ファンケース２７Ａの内部に吸い込まれた空気が流れる経路にイオンの放出部１０Ａが露出するように、放出部１０Ａを循環換気ファンケース２７Ａの内面側に露出させ、他の部位を循環換気ファンケース２７Ａの外部に突出させる形態で設置される構成でも良い。
【０１０９】
イオン発生器１０が循環換気ファンケース２７Ａの内部における空気の流れの起端部２００Ａ２に相当する位置に設置されることでも、イオン発生器１０で生成、放出された正イオンと負イオンは、循環換気吸込口２０Ａから吸い込まれる空気の流れで、羽根車２５Ａの全体に接する。
【０１１０】
これにより、羽根車２５Ａの全体に正イオンと負イオンを作用さえることができ、羽根車２５Ａが静電気で正に帯電した場合は、空気中の負イオンで羽根車２５Ａが除電される。また、正に帯電した空気中の成分が負イオンで除電される。羽根車２５Ａが負に帯電した場合は、空気中の正イオンで羽根車２５Ａが除電される。また、負に帯電した空気中の成分が正イオンで除電される。
【０１１１】
従って、所定の風量を得るという羽根車２５Ａの正常な動作を妨げる阻害要因となる空気中の埃等の成分が、羽根車２５Ａに静電気で吸引されて付着することを抑制することができる。また、イオン発生器１０が、循環換気ファンケース２７Ａの内側面に設置されることで、イオン発生器１０が空気の流れを阻害しない。
【０１１２】
図１０に示す実施の形態では、イオン発生器１０は、イオンの放出部１０Ａをフロントパネル４Ａの吸込口グリル４０Ａの内側面に露出させて、フロントパネル４Ａに設置される。フロントパネル４Ａの吸込口グリル４０Ａは、循環換気吸込口２０Ａに吸い込まれる空気の流れの起端部となる。
【０１１３】
図１１に示す実施の形態では、イオン発生器１０は、循環換気ファンケース２７Ａの下面側、かつ、循環換気吸込口２０Ａの外側で、循環換気吸込口２０Ａの形状に沿った略円周上の所定の位置であって、舌部２７Ａ１の反対側に設置される。循環換気吸込口２０Ａの形状に沿った略円周上の任意の位置が、循環換気吸込口２０Ａに吸い込まれる空気の流れの起端部となる。
【０１１４】
このように、循環換気吸込口２０Ａに吸い込まれる空気の流れの起端部にイオン発生器１０が設置されることで、羽根車２５Ａの全体にイオンを作用させることができる。
【産業上の利用可能性】
【０１１５】
本発明は、浴室等の被乾燥物の乾燥を行う空間に設置される送風装置に適用される。
【符号の説明】
【０１１６】
１Ａ・・・浴室換気乾燥暖房機、１０・・・イオン発生器（機能因子発生部）、１０Ａ・・・放出部、１０Ｂ・・・イオン発生器（空気清浄因子発生部）、２Ａ・・・循環換気ファン（送風手段）、２０Ａ・・・循環換気吸込口（吸込口）、２１Ａ・・・第１の吹出口（吹出口）、２２Ａ・・・第２の吹出口（吹出口）、２３Ａ・・・換気吹出口、２５Ａ・・・羽根車、２７Ａ・・・循環換気ファンケース（ケース部）、２７Ａ１・・・舌部、２７Ａ１１・・・第１の風路形成部、２７Ａ１２・・・第２の風路形成部、４Ａ・・・フロントパネル、４０Ａ・・・吸込口グリル、４１Ａ・・・第１の吹出口グリル、４２Ａ・・・第２の吹出口グリル、５・・・ヒータ、６Ａ・・・風路切替ダンパ、１００・・・浴室
【図１】
2018173254.tif 000003
【図２】
2018173254.tif 000004
【図３】
2018173254.tif 000005
【図４】
2018173254.tif 000006
【図５】
2018173254.tif 000007
【図６】
2018173254.tif 000008
【図７】
2018173254.tif 000009
【図８】
2018173254.tif 000010
【図９】
2018173254.tif 000011
【図１０】
2018173254.tif 000012
【図１１】
2018173254.tif 000013